(57)【要約】      （修正有）【課題】送風機から空調ダクトを通じて送風された風速が大きく、それに伴って風向を調整する羽根体の所定の傾斜角度に保持することが可能な風向調整部材を備えた空調ダクト用ルーバを提供する。【解決手段】空調ダクト用ルーバ１は、送風機に接続された空調ダクトのダクト吹出口に装着する装着部材１０と、装着部材１０に回動自在に嵌合してダクト吹出口からの風向を調整する羽根体を有する風向調整部材２０と、からなり、風向調整部材２０は、装着部材１０の開口部１１の内周面に対して回動自在に係合する略円筒状の枠体２１と、枠体２１の中心に形成された枠開口部２１ａと、枠開口部２１ａの内周面に形成された枠体軸受部２１ｂ、２１ｂに回動自在に軸着された複数の羽根体２２と、羽根体２２を回動と連動して傾斜させるリンク体２３と、からなるものである。【選択図】図１
0003218568.tif 000002
【実用新案登録請求の範囲】
【請求項１】
送風機に接続された空調ダクトのダクト吹出口に装着する装着部材と、該装着部材に回動自在に嵌合して風向を調整するため風向調整部材と、を備えた空調ダクト用ルーバであって、
前記装着部材は、前記ダクト吹出口に位置する開口部と、該開口部の周囲に前記ダクト吹出口を挟持するため挟持部と、を備え、
風向調整部材は、前記装着部材の内周面と回動自在に係合する枠体と、該枠体の中心の枠開口部に回動自在に軸着された複数の羽根体と、該羽根体を連動して傾斜させるリンク体と、を備え、
前記リンク体は、前記羽根体を軸着する軸部の周囲に前記リンク体の軸受部周囲と接触し、前記リンク体の回動運動に抗する適度な摩擦抵抗を付与する摩擦体を有することを特徴とする空調ダクト用ルーバ。
【請求項２】
リンク体は、枠体の枠開口部に回動自在に軸着された複数の羽根体のうち中央に配置された羽根体の軸受部のみに摩擦体を取付ける凹部を有することを特徴とする請求項１記載の空調ダクト用ルーバ。
【請求項３】
枠開口部は、複数の羽根体のうち上方に配置された羽根体の回動運動を水平方向から上方に回動しないように、上方に配置された前記羽根体の軸部近辺の前記枠開口部を切り欠くように形成され、前記羽根体の左右両端に当接する切欠部を有することを特徴とする請求項１又は２のいずれか一項に記載の空調ダクト用ルーバ。
【請求項４】
枠開口部は、複数の羽根体のうち下方に配置された羽根体の鉛直下方から後方に回動しないように、複数の羽根体のうち下方に配置される羽根体の下端に当接する止め片を有することを特徴とする請求項１ないし３のいずれか一項に記載の空調ダクト用ルーバ。
【請求項５】
羽根体とリンク体とを挟持する弾性挟持体を有することを特徴とする請求項１ないし４のいずれか一項に記載の空調ダクト用ルーバ。
【考案の詳細な説明】
【技術分野】
【０００１】
本考案は、空調用の送風機における空調ダクトの吹出口に装着して風向を調整する空調ダクト用ルーバに関する。
【背景技術】
【０００２】
従来、空調ダクトの吹出口に装着して風向を調整するものとして、空調ダクトの吹出口に装着する空調ダクト用ルーバが提案されており、例えば特許文献１には、送風装置に連通された送風ダクト１と、この送風ダクト１の端末に回動可能に取付けられる吹出口構造体２と、この吹出口構造体２を送風ダクト１の開口部４に摺動回動可能に支持する摺動リング３とからなる空気吹出口装置であって、この吹出構造体２は、断面翼状に形成された複数のルーバ１２の後端に回動自在に連結された連結リンク１３によって各ルーバ１２が連動して回動するものが開示されている。
【先行技術文献】
【特許文献】
【０００３】
【特許文献１】実公開昭６３―１０１７４４号公報
【考案の概要】
【考案が解決しようとする課題】
【０００４】
しかしながら、住宅や車内等の比較的狭い空調する空間に比べて工場等の空調する空間の大きい施設に設置される大型の空調の場合において、大型の送風機とそれに対して複数の空調ダクトが接続され、風速の大きい送風が複数の空調ダクトの吹出口が吹き出されるため、上述の特許文献１のような単に連動して回動するルーバ１２である場合、ルーバ１２に掛る空気抵抗が大きくなってしまい、風向を調整するように傾斜した状態のルーバ１２が空気抵抗によって意図せず完全に開いてしまったり、閉じてしまったりする欠点がある。
【０００５】
したがって、送風機から空調ダクトを通じて送風された風速が大きく、それに伴って風向を調整する羽根体の所定の傾斜角度を保持することが可能な風向調整部材を備えた空調ダクト用ルーバを提供することを目的とするものである。
【課題を解決するための手段】
【０００６】
本考案は、上記課題に鑑み、送風機に接続された空調ダクトのダクト吹出口に装着する装着部材と、該装着部材に回動自在に嵌合して空調ダクトの送風の風向を調整するため風向調整部材と、を備えた空調ダクト用ルーバであって、
前記装着部材は、前記ダクト吹出口に位置する開口部と、該開口部の周囲に前記ダクト吹出口を挟持するため挟持部と、を備え、
風向調整部材は、前記装着部材の内周面と回動自在に係合する枠体と、該枠体の中心の枠開口部に回動自在に軸着された複数の羽根体と、該羽根体を連動して傾斜させるリンク体と、を備え、
前記リンク体は、前記羽根体を軸着する軸部の周囲に前記リンク体の軸受部周囲と接触し、前記リンク体の回動運動に抗する適度な摩擦抵抗を付与する摩擦体を有することを特徴とするものである。
【０００７】
また、上述した構成に加え、リンク体は、枠体の枠開口部に回動自在に軸着された複数の羽根体のうち中央に配置された羽根体の軸受部のみに摩擦体を取付ける凹部を有することが好ましい。
【０００８】
また、上述した構成に加え、枠開口部は、複数の羽根体のうち上方に配置された羽根体の回動運動を水平方向から上方に回動しないように、上方に配置された前記羽根体の軸部近辺の前記枠開口部を切り欠くように形成され、前記羽根体の左右両端に当接する切欠部を有することが好ましい。
【０００９】
また、上述した構成に加え、枠開口部は、複数の羽根体のうち下方に配置された羽根体の鉛直下方から後方に回動しないように、複数の羽根体のうち下方に配置される羽根体の下端に当接する止め片を有することを特徴とすることが好ましい。
【００１０】
また、上述した構成に加え、羽根体とリンク体とを挟持する弾性挟持体を有することが好ましい。
【考案の効果】
【００１１】
請求項１、３、４記載の考案によれば、風量調整部材に配置された複数の羽根体を鉛直下方から水平までの間で任意の傾斜角にして風向を調整することができ、工場等に配置される大型の空調による風速の速い送風による空気抵抗に対しても所望の傾斜角を保持して、風向に調整することができる空調ダクト用ルーバを提供することが可能である。
【００１２】
請求項２記載の考案によれば、最も空気抵抗の掛る中央の羽根体の軸受部の周囲のみに摩擦体を取り付ける凹部を形成し、該凹部に摩擦体を取り付けることで、他の軸受部に摩擦体を取り付けなくとも、複数の羽根体の傾斜角を空気抵抗に抗して傾斜角を保持することができ、空気抵抗による複数の羽根体が意図せず閉じたり開いたりしてしまうことを防止することが可能である。
【００１３】
請求項５記載の考案によれば、羽根体の回動運動を繰り返した際の羽根体とリンク体による摩耗によって摩擦体が薄くなったとしても、羽根体及びリンク体の間に生じる隙間をなくすように挟持することができ、摩擦体の摩擦力を維持して羽根体の傾斜を保持することが可能である。
【図面の簡単な説明】
【００１４】
【図１】本考案の実施形態に係る空調ダクト用ルーバの一例を示す分解斜視図である。
【図２】図１の空調ダクト用ルーバの組み立てた状態を示す正面斜視図である。
【図３】図２の正面図である。
【図４】図２の背面側斜視図、及び、摩擦体周辺の構造を示す部分拡大斜視図である。
【図５】図１の空調ダクト用ルーバを空調ダクトに装着した後、風向調整部材の(a)閉状態、(b)半開状態、(c)開状態、を示すリンク体付近の中央縦断面図である。
【図６】他の実施形態に係る弾性挟持体を備えた空調ダクト用ルーバの一例を示す背面から見た分解斜視図である。
【図７】図６の弾性挟持体で羽根体及びリンク体を挟持した状態を示す(a)A方向から見た部分拡大斜視図、及び(b)B方向から見た部分拡大斜視図である。
【考案を実施するための形態】
【００１５】
本考案の空調ダクト用ルーバ１の一例について、図１−４に基づいて詳細に説明する。
【００１６】
空調ダクト用ルーバ１は、送風機に接続された空調ダクトDのダクト吹出口D1に装着する装着部材１０と、該装着部材１０に回動自在に嵌合してダクト吹出口D1からの風向を調整する羽根体を有する風向調整部材２０と、からなるものである。
【００１７】
装着部材１０は、該ダクト吹出口D1と同程度以下の直径を有する略円形の開口部１１と、該開口部１１の周囲にダクト吹出口の縁部を挟持するために断面倒略Ｕ字状に形成された挟持部１２と、を有し、その装着部材の外周面上には、ダクト吹出口D1の縁部を挟持させた状態をねじで固定するためのねじ孔を複数設けておくことが好ましい。
【００１８】
風向調整部材２０は、上述の装着部材１０の開口部１１の内周面に対して回動自在に係合する略円筒状の枠体２１と、該枠体２１の中心に縦長の略楕円形状に形成された枠開口部２１ａと、該枠開口部２１ａの内周面に形成された枠体軸受部２１ｂ、２１ｂに回動自在に軸着された複数の羽根体２２と、該羽根体２２の回動を連動して傾斜させるリンク体２３と、からなるものである。
【００１９】
この枠開口部２１ａは、風量調整部材２０の後述する閉状態において、完全に枠開口部２１ａを閉じたまま送風機から送風が行われると、空調ダクトD1内の圧力の上昇によって送風機及び空調ダクトD1を損傷ないようにするために、枠開口部２１ａと羽根体２２との間に若干の隙間を設けるとともに、後述する第一の羽根体２２ａの回動動作を水平方向から上方に回動しないようを当接して止めるように、枠体軸受部２１ｂ近辺に略直角に切り欠くように形成された切欠部２１ｃ、２１ｃを設けることが好ましい。また、枠開口部２１ａの下端から側方にかけて、後述する第三の羽根体２２ｃの下端と当接して、第三の羽根体２２ｃを鉛直下方の位置より後方に回動しないための枠開口部２１ａの下端に湾曲状の止め片２１ｄを有するものである。
【００２０】
羽根体２２は、略楕円形状の枠開口部２１ａ全体を覆うように閉じるために、横長の略楕円形状に形成された第一の羽根体２２ａ、下方に膨出した略長方形状の第二の羽根体２２ｂ、略半楕円形状の第三の羽根体２２ｃを、枠開口部２１ａの上方に第一の羽根体２２ａ、中央に第二の羽根体２２ｂ、下方に第三の羽根体２２ｃの順に並列配置してなるものであり、それぞれ羽根体２２の両端から横幅方向に形成された枠体２１の内周面に形成された枠体軸受部２１ｂ、２１ｂに軸着するための枠体用軸部２２ｄ、２２ｄと、後述するリンク体２３の軸部２３ａ、２３ａに対して回動自在に軸着するために羽根体２２の背面に対して垂直方向に立設され、３つに分かれてなる先端付近に開口して形成された軸受部２２ｆ、２２ｆを有する立設部２２ｅ、２２ｅを有するものである。
【００２１】
また、この第二の羽根体２２ｂの上半部及び第三の羽根体２２ｃの上半部は、それぞれの上方に位置する第一の羽根体２２ａの下半部及び第二の羽根体２２ｂの下半部と重なるように段状に形成された略半楕円形状の重ね部２２ｈ、２２ｈと、を有するものである。また、中央に配置された第二の羽根体２２ｂが、第一の羽根体２２ａ及び第三の羽根体２２ｃの横幅に比べて最大の横幅を有するものである。
【００２２】
この中央に配置された第二の羽根体２２ｂの軸受部２２ｆは、その周囲に略円環形状の凹部２２ｇが形成され、該凹部２２ｇにリンク体２３の軸部２３ａと接触することでリンク体２３と連動するすべての羽根体２２の回動運動に抗する適度な摩擦抵抗を付与する凹部２２ｇと同じ形状で一回り小さくした摩擦体２４と、を有するものである。この摩擦体２４は、羽根体２２を所定の傾斜角で傾斜した状態において、送風による空気抵抗が最も大きく生じる第二の羽根体２２ｂのみに空気抵抗によって回動しない程度の摩擦力をリンク体２３と第二羽根体２２ｂとの間に生じさせることで、必要最低限度の摩擦体２４のみで羽根体２２の傾斜を保持することが可能である。なお、摩擦体２４は、例えば合成ゴム等の弾性素材を主体として形成されるものである。
【００２３】
リンク体２３は、上述の羽根体２２である第一の羽根体２２ａ、第二の羽根体２２ｂ、第三の羽根体２２ｃのそれぞれの立設部２２ｅ、２２ｅの先端に設けられた軸受部２２ｆ、２２ｆに差し込んで軸着するように、略逆E字状の先端付近に形成された軸部２３ａ、２３ａを有するものである。この軸部２３ａ、２３ａは、羽根体２２の軸受部２２ｆ、２２ｆに挿入して係合した状態を保持するようにするために、先端から外方に突出する傘状の返し片２３ｂ、２３ｂが形成するとともに、返し片２３ｂ、２３ｂを挿入しやすいように軸部２３ａ、２３ａの長手方向にわたって二股状に形成されているものである。
【００２４】
次に、空調ダクト用ルーバ１を空調ダクトDに装着した後、風向調整部材２０の枠開口部２１ａを羽根体２２で閉じた状態（閉状態）、羽根体２２を傾斜させて風向を調整した状態（半開状態）、羽根体２２を水平方向まで回動させて枠開口部２１ａを完全に開いた状態（開状態）について図５に基づいて詳細に説明する。
【００２５】
閉状態は、図５(a)に示すように、第一の羽根体２２ａ、第二の羽根体２２ｂ、及び、第三の羽根体２２ｃのすべて鉛直下方に向けるとともに、第三の羽根体２２ｃの下半部の下端部分に枠開口部２１ａの止め部２１ｄを当接させることで鉛直下方より後方に向かって回動しないように止めることで、羽根体２２によって枠開口部２１ａを閉じた状態とするものである。
【００２６】
半開状態は、図５(b)に示すように、上述の閉状態からさらに第一の羽根体２２ａの上半部を手前から後方に押すことによって、第一の羽根体２２ａを軸部２３ａ回りに回動させるとともに、この回動動作をリンク体２３によって第二の羽根体２２ｂ及び第三の羽根体２２ｃも連動して回動させることで、第一の羽根体２２ａ、第二の羽根体２２ｂ、及び、第三の羽根体２２ｃが軸部２３ａ回りに所望の傾斜角度（例えば、鉛直斜め下方）に傾斜させることができる。これによって送風機から空調ダクトDのダクト吹出口D1からの送風の風向きを羽根体２２によって所望の傾斜方向に吹出すように風向を調整することができるとともに、リンク体２３と第二の羽根体２２ｂの間に備えられた摩擦体２４によって、風速の速い送風でも所望の傾斜角を保持しながら風向を調整することが可能である。また、図示しないが、このとき風向調整部材２０の枠体２１を装着部材１０の内周面に沿って約１８０度で回動させることで鉛直斜め上方に風向を調整することなども可能である。
【００２７】
開状態は、図５(c)に示すように、上述の半開状態（又は閉状態）からさらに第一の羽根体２２ａを手前から後方に押すことによって、第一の羽根体２２ａが軸部２３ａ回りを鉛直下方から概ね９０度回動させて、第一の羽根体２２ａの左右両端を枠開口部２１ａの切欠部２１ｃの側面に当接することで、第一の羽根体２２ａを水平方向に配置するとともに、第一の羽根体２２ａの回動動作をリンク体２３によって連動して回動させた第二の羽根体２２ｂ、及び、第三の羽根体２２ｃを水平方向に配置したものである。このとき、ダクト吹出口D1から吹出される送風と同一の方向に枠開口部２１ａから送風されるものである。
【００２８】
したがって、上述した空調ダクト用ルーバ１は、風量調整部材２０に配置された羽根体２２を鉛直下方から水平までの任意の傾斜角にして風向を調整することができ、工場等の大きな空調の空間のために配置される大型の送風機による風速の速い送風による空気抵抗に対してもしっかりと所望の傾斜角を保持して、風向に調整することができる空調ダクト用ルーバ１を提供することが可能である。
【００２９】
また、実施形態の別の例として、弾性挟持体３０を備えた空調ダクト用ルーバ１について図６―７に基づいて詳細に説明する。なお、上述した実施形態と共通する構成については詳細な説明及び符号については省略する。
【００３０】
空調ダクト用ルーバ１は、羽根体２２とリンク体２３とを挟持する弾性挟持体３０を備えたものであり、弾性挟持体３０は、リンク体２３や羽根体２２に比べて硬いものである金属材からなる薄板を断面略コ字状に形成させ、その先端のどちらか一方を切欠いてリンク体２３の軸部２３ａと係合する切欠部３１と、を有するものである。
【００３１】
また、弾性挟持体３０の両端を若干の角度で折り曲げて、脱落しないようにリンク体２３の外周面の一部と係合しつつ、差し込みやすいように略コ字状の両端を所定の間隔になるように形成した折曲部３２、３２を有するものである。
【００３２】
弾性挟持体３０は、羽根体２２の回動運動を繰り返した際の羽根体２２（の軸受部２２ｆ）及びリンク体２３（の軸部２３ａ）による摩耗によって、摩擦体が薄くなって隙間が生じたとしても、隙間をなくすように挟持することができ、摩擦体２４による摩擦力をリンク体２３と第二羽根体２２ｂとの間に維持することで羽根体２２の傾斜をより一層保持することが可能である。
【符号の説明】
【００３３】
１…空調ダクト用ルーバ、
１０…装着部材、１１…開口部、１２…挟持部、
２０…風向調整部材、
２１…枠体、2１ａ…枠開口部、２１ｂ…枠体軸受部、２１ｃ…切欠部、２１ｄ…止め片、
２２…羽根体、２２ａ…第一の羽根体、２２ｂ…第二の羽根体、２２ｃ…第三の羽根体、２２ｄ…枠体用軸部、２２ｅ…立設部、２２ｆ…軸受部、２２ｇ…凹部、２２ｈ…重ね部、
２３…リンク体、２３ａ…軸部、２３ｂ…返し片、
２４…摩擦体、
３０…弾性挟持体、３１…切欠部、３２…折曲部、
D…空調ダクト、D1…ダクト吹出口、D2…縁部
【図１】
0003218568.tif 000003
【図２】
0003218568.tif 000004
【図３】
0003218568.tif 000005
【図４】
0003218568.tif 000006
【図５】
0003218568.tif 000007
【図６】
0003218568.tif 000008
【図７】
0003218568.tif 000009